(57)【要約】      （修正有）【課題】竹ざるを複数枚重ね置きすることで、スペースを節約し、食品が盛り付けられた複数枚の竹ざるの運搬を容易化し、作業能率の向上を図ることができる、脚付き竹ざる及びその脚を提供する。【解決手段】竹ざるの周縁部３に、適宜間隔を置いて、複数本の竹製の脚４が取り付けられてなる脚付き竹ざる１であって、脚４は、その上部に、第１の切り込み部を有し、該第１の切り込み部が、竹ざる１の周縁部３に水平方向外方から嵌合して、脚４が、竹ざる１の周縁部３に、これらを上方から貫通する竹釘６で固定されるとともに、その下部に、第２の切り込み部を有し、該第２の切り込み部が、竹ざる１の下方に配置される別の竹ざる１の周縁部３に上方より嵌合するようにされている。【選択図】図１
0003171088.tif 000002
【実用新案登録請求の範囲】
【請求項１】
食品を盛り付けるために使用される竹ざるの周縁部に、その周方向に適宜間隔を置いて、複数本の竹製の脚が取り付けられてなる脚付き竹ざるであって、
前記脚は、
その上部に、水平方向内方に向けて開くように入れられた第１の切り込み部を有し、前記第１の切り込み部が、前記竹ざるの周縁部に水平方向外方から嵌合して、前記脚が、前記竹ざるの周縁部に、これらを上方から貫通する竹釘で固定されるとともに、
その下部に、下方向に向けて開くように入れられた第２の切り込み部を有し、前記第２の切り込み部が、前記竹ざるの下方に配置される別の竹ざるの周縁部に上方より嵌合するようにされている
ことを特徴とする脚付き竹ざる。
【請求項２】
前記脚は、前記竹ざるに食品を盛り付けても、上に重ねられた竹ざるの底に、下の竹ざるに盛り付けられた食品が接触しないような長さである
ことを特徴とする請求項１に記載の脚付き竹ざる。
【請求項３】
食品を盛り付けるために使用される竹ざるの周縁部に、その周方向に適宜間隔を置いて、複数本の竹製の脚が取り付けられてなる脚付き竹ざるの脚が、
その上部に、水平方向内方に向けて開くように入れられた第１の切り込み部を有し、前記第１の切り込み部が、前記竹ざるの周縁部に水平方向外方から嵌合して、前記脚が、前記竹ざるの周縁部に、これらを上方から貫通する竹釘で固定されるとともに、
その下部に、下方向に向けて開くように入れられた第２の切り込み部を有し、前記第２の切り込み部が、前記竹ざるの下方に配置される別の竹ざるの周縁部に上方より嵌合するようにした
ことを特徴とする脚付き竹ざるの脚。
【考案の詳細な説明】
【技術分野】
【０００１】
本願の考案は、そば、うどん、そうめんのような麺類を中心とした各種食品を盛り付けるために使用される竹ざるに関し、特に、食品が盛り付けられた竹ざるを複数枚重ね置くことが可能にされた、脚付き竹ざる及びその脚に関する。
【背景技術】
【０００２】
冷水で冷やした、そば、うどん、そうめんのような麺類を水切りして盛り付けるために使用される容器としては、従来、竹ざる、竹の簀を敷いたせいろ、簀を敷いた皿や鉢等が広く用いられている。
【０００３】
しかしながら、これらの容器のうち、麺類を盛り付けた状態で、その状態を壊すことなく、その複数枚を重ね置きすることができるように工夫された容器としては、従来、せいろが認められる程度であり、その他の容器、特に竹ざるは、そのように工夫されたものを発見しない（特許文献１参照）。
【０００４】
竹ざるが、その上に麺類を盛り付けた状態で、その状態を壊すことなく、その複数枚を重ね置きすることができれば、調理場において、複数人用に、例えば、そばを盛り付けるに際して、盛り付けができた順に、１枚の竹ざる分の平面面積の上にそばが盛り付けられた竹ざるを重ね置くことにより、調理場のスペースを節約することができるし、また、これらそばが盛り付けられた複数枚の竹ざるを食台に運搬するに際して、一度に、容易に運搬することができ、作業能率の向上を図ることができる。しかしながら、従来の竹ざるでは、前記のような事情により、このようなことが不可能であった。
【先行技術文献】
【特許文献】
【０００５】
【特許文献１】実公昭６１―２１３７３号公報
【考案の開示】
【考案が解決しようとする課題】
【０００６】
本願の考案は、従来の竹ざるが有する前記のような問題点を解決して、竹ざるが、その上にそば、うどん、そうめんのような食品を盛り付けた状態で、その状態を壊すことなく、その複数枚を重ね置きすることができるようにして、調理場のスペースの節約と、食品が盛り付けられた複数枚の竹ざるの食台への運搬の容易化と、作業能率の向上とを図った、脚付き竹ざる及びその脚を提供することを課題とする。
【課題を解決するための手段】
【０００７】
前記のような課題は、本願の実用新案登録請求の範囲の各請求項に記載された次のような考案により解決される。
すなわち、その請求項１に記載された考案は、食品を盛り付けるために使用される竹ざるの周縁部に、その周方向に適宜間隔を置いて、複数本の竹製の脚が取り付けられてなる脚付き竹ざるであって、前記脚は、その上部に、水平方向内方に向けて開くように入れられた第１の切り込み部を有し、前記第１の切り込み部が、前記竹ざるの周縁部に水平方向外方から嵌合して、前記脚が、前記竹ざるの周縁部に、これらを上方から貫通する竹釘で固定されるとともに、その下部に、下方向に向けて開くように入れられた第２の切り込み部を有し、前記第２の切り込み部が、前記竹ざるの下方に配置される別の竹ざるの周縁部に上方より嵌合するようにされていることを特徴とする脚付き竹ざるである。
【０００８】
請求項１に記載された考案は、前記のように構成されており、その構造は、竹で作られた複数本の脚を、竹ざるの周縁部に、竹釘を貫通させて固定するという、単純なものであり、材料も全て竹であるので、簡単に、安価に、これを製造することができる。
【０００９】
また、竹ざるの脚の下部に設けられる第２の切り込み部を、下方に配置される別の竹ざるの周縁部に上方より嵌合させることにより、竹ざるの複数枚を積み重ねても、竹ざると竹ざるの間に脚の高さの空間が形成されるので、竹ざるに盛り付けられた食品、例えば、そばが直上の竹ザルの底に接触することなく、その盛り付けが壊されることがないようにすることができる。このため、食品が盛り付けられた竹ざるの複数枚を重ね置くことができるようになり、調理場において、複数人用に食品を盛り付けるに際して、盛り付けができた順に、１枚の竹ざる分の平面面積の上に食品が盛り付けられた竹ざるを重ね置くことにより、調理場のスペースを節約することができる。また、これら、食品が盛り付けられた複数枚の竹ざるを食台に運搬するに際して、一度に、容易に運搬することができ、作業能率の向上を図ることができる。
【００１０】
また、その請求項２に記載された考案は、請求項１に記載の脚付き竹ざるにおいて、前記脚は、前記竹ざるに食品を盛り付けても、上に重ねられた竹ざるの底に、下の竹ざるに盛り付けられた食品が接触しないような長さであることを特徴としている。
【００１１】
請求項２に記載された考案は、前記のように構成されているので、請求項１に記載された考案が奏する前記の効果と同様の効果を奏することができる。
【００１２】
また、その請求項３に記載された考案は、食品を盛り付けるために使用される竹ざるの周縁部に、その周方向に適宜間隔を置いて、複数本の竹製の脚が取り付けられてなる脚付き竹ざるの脚が、その上部に、水平方向内方に向けて開くように入れられた第１の切り込み部を有し、前記第１の切り込み部が、前記竹ざるの周縁部に水平方向外方から嵌合して、前記脚が、前記竹ざるの周縁部に、これらを上方から貫通する竹釘で固定されるとともに、その下部に、下方向に向けて開くように入れられた第２の切り込み部を有し、前記第２の切り込み部が、前記竹ざるの下方に配置される別の竹ざるの周縁部に上方より嵌合するようにしたことを特徴とする脚付き竹ざるの脚である。
【００１３】
請求項３に記載された考案は、前記のように構成されているので、その脚付き竹ざるの脚は、脚が竹ざるの周縁部にしっかりと直立して固定されるとともに、下方に配置される別の竹ざるの周縁部にも上方より安定して嵌合するものでありながら、竹製であり、簡単な構造であるので、安価に、容易に、提供することができる。
【００１４】
また、食品が盛り付けられた複数枚の竹ざるを安定して重ね置くことができるので、調理場において、複数人用に食品を盛り付けるに際して、盛り付けができた順に、１枚の竹ざる分の平面面積の上に食品が盛り付けられた竹ざるを重ね置くことにより、調理場のスペースを節約することができる。また、これら、食品が盛り付けられた複数枚の竹ざるを食台に運搬するに際して、一度に、容易に運搬することができ、作業能率の向上を図ることができる。
【考案の効果】
【００１５】
本願の考案は、前記のとおり、次のような効果を奏することができる。
その脚付き竹ざるの構造は、竹で作られた脚を、竹ざるの周縁部に、竹釘を貫通させて固定するという、単純なものであり、材料も全て竹であるので、簡単に、安価に製造することができる。
【００１６】
また、竹ざるの脚の下部に設けられる第２の切り込み部を、下方に配置される別の竹ざるの周縁部に上方より嵌合させることにより、竹ざるの複数枚を積み重ねても、竹ざると竹ざるの間に脚の高さの空間が形成されるので、竹ざるに盛り付けられた食品が直上の竹ザルの底に接触することなく、その盛り付けが壊されることがない。このため、食品が盛り付けられた竹ざるの複数枚を重ね置くことができ、調理場において、複数人用に食品を盛り付けるに際して、盛り付けができた順に、１枚の竹ざる分の平面面積の上に食品が盛り付けられた竹ざるを重ね置くことにより、調理場のスペースを節約することができる。また、これら、食品が盛り付けられた複数枚の竹ざるを食台に運搬するに際して、一度に、容易に運搬することができ、作業能率の向上を図ることができる。
【００１７】
また、その脚付き竹ざるの脚は、脚が竹ざるの周縁部にしっかりと直立して固定されるとともに、下方に配置される別の竹ざるの周縁部にも上方より安定して嵌合するものでありながら、竹製であり、簡単な構造であるので、安価に、容易に、提供することができる。
【考案を実施するための形態】
【００１８】
以下に、本願の考案の脚付き竹ざる及びその脚の好適な実施例を、図面を参照しつつ、詳細に説明する。
図１は、本願の考案の実施例の脚付き竹ざるの斜視図、図２は、同脚の斜視図であって、脚の左右面を斜上方からそれぞれ斜視した２種類の斜視図を示す図、図３は、同脚付き竹ざるを２枚重ねた状態の斜視図、図４は、図３の部分拡大図である。  
【００１９】
本実施例における脚付き竹ざる１（以下、多くの場合において、「竹ざる１」と略称する。）は、そば、うどん、そうめんのような麺類を中心とした各種食品を盛り付けるために使用されるものであって、その構造は、図１に示されるように、食品が盛り付けられる場所をなす竹製のすのこ部２と、すのこ部２の外周を取り込んで固定しつつ、その全体を囲む竹輪状の竹製の周縁部３と、周縁部３に、その周方向に適宜間隔を置いて取り付けられる複数本（本実施例の場合、周方向に等間隔に３本）の竹製の脚４とからなっている。
なお、以下においては、麺類が竹ざる１に盛られる場合を中心にして説明するが、その他の食品がそれに盛られる場合も同様である。
【００２０】
脚４は、竹材から切り出された縦長の小片からなり、図２に示されるように、その上部に、竹ざる１に対して水平方向内方に向けて開くように入れられた第１の切り込み部７を有し、該第１の切り込み部７が、竹ざる１の周縁部３に水平方向外方から嵌合する。そして、該脚４が、竹ざる１の周縁部３に、これらを上方から貫通する竹釘６でしっかりと直立して固定されるようになっている。
【００２１】
このために、脚４には、竹釘６を通すための孔５が、第１の切り込み部７を貫くようにして、予め形成されている。また、周縁部３にも、対応する個所に、竹釘６を通すための孔が予め形成されている（不図示）。竹釘６を通すためのこれらの孔は、竹釘６を打ち込んだとき、きつく締まる程度の直径の孔である。
【００２２】
また、脚４は、その下部に、下方向に向けて開くように入れられた第２の切り込み部８を有しており、該第２の切り込み部８が、図３及び図４に示されるように、前記竹ざる１の下方に配置される別の竹ざる１の周縁部３に上方より嵌合するようになっている。
【００２３】
このようにして、上方の竹ざる１の周縁部３に固定された脚４の第２の切り込み部８が、下方に配置される別の竹ざる１の周縁部３に上方より嵌合することにより、上方の竹ざる１と下方の竹ざる１とが、水平方向に相対移動しないように相互に係合されて、安定した状態で、上方の竹ざる１が、下方の竹ざる１により保持される。図３は、このようにして２枚の竹ざる１が上下に重ね置きされた状態を示している。但し、それらに盛り付けられた麺類は、図示省略されている。同様にして、３枚以上の脚付き竹ざる１を重ね置きすることができる。
【００２４】
脚４の第２の切り込み部８は、脚４の下端部に切り込まれて形成されるが、切り込まれて残された内方の下端は、その一部が切除されて、図２に示されるように、外方の下端よりも短くなるようにされている。このようにすることにより、上方の竹ざる１の脚４の第２の切り込み部８が、下方の竹ざる１の周縁部３に上方より滑らかにぴったりと嵌合して、これを確実に捕捉することができる。
【００２５】
脚４の寸法は、１例として、竹ざる１の外径寸法が２４０ｍｍの場合、長さ（高さ）約５４ｍｍ、幅約１８ｍｍ、厚さ約７ｍｍ、第１及び第２の切り込み部７、８の幅約１０ｍｍ、第１及び第２の切り込み部７、８の離間距離約２４ｍｍである。これらの寸法のうち、長さ（高さ）約５４ｍｍ及び離間距離約２４ｍｍは、竹ざる１に、そば、うどん、そうめんのような麺類を盛り付けても、上に重ねられた竹ザル１の底に、下の竹ざる１に盛り付けられた麺類が接触しないような長さである。なお、竹釘６の直径は、上記の場合、約２ｍｍである。
【００２６】
本実施例は、前記のように構成されているので、次のような効果を奏することができる。
脚付き竹ざる１の構造は、竹で作られた複数本の脚４を、竹ざる１の周縁部３に、竹釘６を貫通させて固定するという、単純なものであり、材料も全て竹であるので、簡単に、安価に、これを製造することができる。
【００２７】
また、竹ざる１の脚４の下部に設けられる第２の切り込み部８を、下方に配置される別の竹ざる１の周縁部３に上方より嵌合させることにより、竹ざる１の複数枚を積み重ねても、上方の竹ざる１と下方の竹ざる１との間に脚４の高さの空間が形成されるので、竹ざる１に盛り付けられた麺類が直上の竹ザル１の底の下面に接触することなく、その盛り付けが壊されることがない。このため、麺類が盛り付けられた竹ざる１の複数枚を重ね置くことができ、調理場において、複数人用に食品を盛り付けるに際して、盛り付けができた順に、１枚の竹ざる分の平面面積の上に麺類が盛り付けられた竹ざる１を重ね置くことにより、調理場のスペースを節約することができる。また、これら、麺類が盛り付けられた複数枚の竹ざる１を食台に運搬するに際しても、一度に、容易に運搬することができ、作業能率の向上を図ることができる。
【００２８】
また、脚４は、竹ざる１の周縁部３にしっかりと直立して固定されるとともに、下方に配置される別の竹ざる１の周縁部３にも上方より安定して嵌合するものでありながら、竹製であり、前記のような簡単な構造であるので、安価に、容易に、これを提供することができる。
【００２９】
なお、本願の考案の実施例の脚付き竹ざるは、「そば、うどん、そうめんのような麺類を中心とした各種食品を盛り付けるために使用されるもの」とされたが、竹ざるが食品容器として使用されて相応しい食品であれば、どのような食品でも、これを盛り付けるために使用されて良い。このような食品として、例えば、焼き魚が挙げられよう。
【００３０】
その他、本願の考案は、前記実施例に限定されるものではなく、その要旨を逸脱しない範囲において、種々に変形されて良いものである。
【図面の簡単な説明】
【００３１】
【図１】本願の考案の実施例の脚付き竹ざるの斜視図である。
【図２】同脚の斜視図であって、脚の左右面を斜上方からそれぞれ斜視した２種類の斜視図を示す図である。
【図３】同脚付き竹ざるを２枚重ねた状態の斜視図である。
【図４】図３の部分拡大図である。
【符号の説明】
【００３２】
１…脚付き竹ざる、２…すのこ部、３…周縁部、４…脚、５…孔、６…竹釘、７…第１の切り込み部、８…第２の切り込み部。
【図１】
0003171088.tif 000003
【図２】
0003171088.tif 000004
【図３】
0003171088.tif 000005
【図４】
0003171088.tif 000006